(57)【要約】【課題】ネットワークで端末の移動性を考慮してハンドオーバーを行うようにすること。【解決手段】セルＩＤ、トラッキングエリアＩＤ及び閉鎖加入者グループＩＤを含むシステム情報をターゲットＨｅＮＢから受信する段階と；メンバー指示子、前記ターゲットＨｅＮＢのセルＩＤ、トラッキングエリアＩＤ及び閉鎖加入者グループＩＤを含む測定報告をソース基地局（ｅＮＢ）に伝送する段階と；  前記ソース基地局からハンドオーバー命令メッセージを受信する段階と；前記ターゲットＨｅＮＢにハンドオーバーを行う段階と；を含み、前記測定報告に含まれたＣＳＧ  ＩＤは、前記ターゲットＨｅＮＢが、前記測定報告に含まれたＣＳＧ  ＩＤと前記ターゲットＨｅＮＢが放送するＣＳＧＩＤとを比較し、前記測定報告に含まれたＣＳＧ ＩＤと前記ターゲットＨｅＮＢが放送するＣＳＧ ＩＤがマッチングするか否かをして検証するのに使用されることを特徴とする。【選択図】図３
2014209776.tif 000002
【特許請求の範囲】
【請求項１】
ホームｅＮＢ（ＨｅＮＢ）を含む無線通信システムで端末（Ｕｓｅｒ  Ｅｑｕｉｐｍｅｎｔ、ＵＥ）のハンドオーバー方法において、
セルＩＤ（Ｃｅｌｌ  ＩＤ）、トラッキングエリアＩＤ（ＴＡＩ）及び閉鎖加入者グループ（Ｃｌｏｓｅｄ  Ｓｕｂｓｃｒｉｂｅｒ  Ｇｒｏｕｐ、ＣＳＧ）ＩＤを含むシステム情報をターゲットＨｅＮＢから受信する段階と；
前記システム情報受信に対応して、メンバー指示子、前記ターゲットＨｅＮＢのセルＩＤ、トラッキングエリアＩＤ（ＴＡＩ）及び閉鎖加入者グループ（Ｃｌｏｓｅｄ  Ｓｕｂｓｃｒｉｂｅｒ  Ｇｒｏｕｐ、ＣＳＧ）ＩＤを含む測定報告をソース基地局（ｅＮＢ）に伝送する段階と；
前記ソース基地局からハンドオーバー命令メッセージを受信する段階と；
前記ターゲットＨｅＮＢにハンドオーバーを行う段階と；を含み、
前記測定報告に含まれたＣＳＧ  ＩＤは、
前記ターゲットＨｅＮＢが、前記測定報告に含まれたＣＳＧ  ＩＤと前記ターゲットＨｅＮＢが放送するＣＳＧ  ＩＤとを比較し、前記測定報告に含まれたＣＳＧ ＩＤと前記ターゲットＨｅＮＢが放送するＣＳＧ ＩＤがマッチングするか否かをして検証するのに使用される
ことを特徴とする端末のハンドオーバー方法。
【発明の詳細な説明】
【技術分野】
【０００１】
本発明は、フェムトセルを含む無線通信ネットワークでのハンドオーバー方法及び装置に関する。より具体的に、本発明は、端末がフェムトセルにハンドオーバーしようとする場合、前記端末のハンドオーバーを制御するためのハンドオーバー方法及び装置に関する。
【背景技術】
【０００２】
フェムトセル（Ｆｅｍｔｏ  Ｃｅｌｌ）は、自宅や事務室など屋内に設置されたブロードバンド網を通じて移動通信コアネットワークに接続する超小型のマイクロ移動通信基地局にセル半径１０ｍ以下のカバレッジを提供することができる基地局を意味する。フェムトセルは、室内カバレッジを拡大し、通話品質を向上させ、且つ多様な有線無線融合サービスを効率的に提供することができるという多様な長所を有する。
【０００３】
３ＧＰＰでは、従来のマクロセル基地局とは別に、特定のユーザだけが接続することができるＣＳＧ（Ｃｌｏｓｅｄ  Ｓｕｂｓｃｒｉｂｅｒ  Ｇｒｏｕｐ）セル基地局が設置される環境を考慮するが、本発明では、ＣＳＧセル、フェムトセル、ＣＳＧセル基地局及びフェムトセル基地局を同じ意味として使用する。３ＧＰＰ  ＬＴＥにおいて、ｅＮＢは、一般的なマクロセル（ｍａｃｒｏ  ｃｅｌｌ）を担当するマクロセル基地局であり、Ｈｏｍｅ  ｅＮＢは、フェムトセル（またはＣＳＧセル）を担当するフェムトセル基地局（またはＣＳＧセル基地局）である。
【０００４】
フェムトセルを考慮した網構成は、網内に多数のフェムトセル基地局が設置されることができ、網内の端末は、マクロセル基地局及びフェムトセル基地局の信号を共に測定（ｍｅａｓｕｒｅ）することができる。一般的に、マクロセル基地局からマクロセル基地局へのハンドオーバー時には、端末がターゲット基地局で伝送される信号（ｓｉｇｎａｌ）を分析し、ＰＣＩ（Ｐｈｙｓｉｃａｌ  Ｃｅｌｌ  ＩＤ）を導出し、これを基盤にして測定報告（ｍｅａｓｕｒｅｍｅｎｔ  ｒｅｐｏｒｔ）を現在端末にサービスを提供中のサービング基地局に伝達し、サービング基地局がハンドオーバーの決定を下すようにする。
【０００５】
しかし、マクロセル基地局またはフェムトセル基地局から他のフェムトセル基地局へのハンドオーバー時に、すなわち端末のフェムトセル基地局へのハンドオーバー時に、ネットワークは、端末がターゲットフェムトセル基地局へ接続可能な端末であるか否かを先に決定しなければならない。
【発明の概要】
【発明が解決しようとする課題】
【０００６】
したがって、本発明の目的は、マクロセル基地局とフェムトセル基地局が共存する無線通信ネットワークにおいて、端末がフェムトセル基地局へのハンドオーバー時に、ネットワークで端末の移動性を考慮してハンドオーバーを行うようにするハンドオーバー方法を提供することにある。
【課題を解決するための手段】
【０００７】
本発明は、フェムトセル及びマクロセルを共に支援する無線通信システムにおいて、端末の移動性を考慮して、フェムトセルに容易にハンドオーバーすることができるハンドオーバー方法及び装置を提供する。
【０００８】
本発明のフェムトセルを含む無線通信ネットワークで端末のハンドオーバーのための測定報告方法は、ハンドオーバー必要感知時に、ターゲットフェムトセル基地局から伝送されるシステム情報から前記ターゲットフェムトセル基地局に対する識別情報を獲得する識別情報獲得段階と、前記獲得した識別情報と、接続可能なフェムトセル基地局に対するリストを含む接近許容リストとを比較し、ハンドオーバー可能可否を判断するハンドオーバー判断段階と、ハンドオーバー可能時に、前記識別情報を含む測定報告メッセージを生成し、サービング基地局に伝送する測定報告段階と、を含むことを特徴とする。
【０００９】
また、本発明のフェムトセルを含む無線通信ネットワークのハンドオーバー装置は、接続可能なフェムトセル基地局に対する識別情報を含む接近許容リストを保存する保存部と、ハンドオーバー必要時に、ターゲットフェムトセル基地局から伝送されるシステム情報から前記ターゲットフェムトセル基地局に対する識別情報を抽出して出力するフェムトセル識別情報抽出部と、前記識別情報を受信し、前記受信した識別情報と前記接近許容リストとを比較し、前記ターゲットフェムトセル基地局への接続可能可否を判断する接近許容フェムトセル判断部と、前記ターゲットフェムトセル基地局に接続可能な場合、前記識別情報を含む測定報告メッセージを生成し、サービング基地局に伝送するように制御する測定報告メッセージ生成部と、を含むことを特徴とする。
【００１０】
また、本発明のフェムトセルを含む無線通信ネットワークで端末がハンドオーバーしようとするターゲットフェムトセル基地局を検証するためのフェムトセル基地局の検証方法は、移動性管理エンティティーから、前記端末がハンドオーバーしようとするターゲットフェムトセル基地局に対する識別情報を含むハンドオーバー要請を受信する段階と、前記受信したターゲットフェムトセル基地局に対する識別情報と前記フェムトセル基地局の識別情報とが同一であるか否かを比較する段階と、前記移動性管理エンティティーから受信した識別情報と前記フェムトセル基地局の識別情報とが同一であれば、前記端末のハンドオーバーを受諾する段階と、を含むことを特徴とする。
【００１１】
また、本発明のフェムトセルを含む無線通信ネットワークで端末がハンドオーバーしようとするターゲットフェムトセル基地局を検証するためのフェムトセル基地局は、移動性管理エンティティーから、前記端末がハンドオーバーしようとするターゲットフェムトセル基地局に対する識別情報を含むハンドオーバー要請を受信するＲＦ通信部と、前記フェムトセル基地局のセル情報を保存する保存部と、前記ハンドオーバー要請から前記ターゲットフェムトセル基地局に対する識別情報を抽出する制御部と、前記受信した前記ターゲットフェムトセル基地局に対する識別情報と前記フェムトセル基地局の識別情報とが同一であるか否かを比較し、同一の場合、前記端末のハンドオーバーを受諾するセル識別子検証部と、を含むことを特徴とする。
【００１２】
また、本発明のフェムトセルを含む無線通信ネットワークで端末のハンドオーバー方法は、前記端末がハンドオーバー必要時に、ハンドオーバーしようとするターゲットフェムトセル基地局の識別情報を含む測定報告メッセージをサービング基地局に伝送する段階と、前記サービング基地局が前記端末のハンドオーバー実行可否を決定し、前記ターゲットフェムトセル基地局の識別情報を含むハンドオーバー要請メッセージを移動性管理エンティティーに伝送する段階と、前記移動性管理エンティティーが前記端末のハンドオーバー進行可否を決定し、前記ターゲットフェムトセル基地局の識別情報を含むハンドオーバー要請メッセージを前記ターゲットフェムトセル基地局に伝送する段階と、前記ターゲットフェムトセル基地局が前記移動性管理エンティティーから受信したターゲットフェムトセル基地局に対する識別情報と自分の識別情報とが同一であるかを比較し、同一の場合、前記端末のハンドオーバーを受諾する段階と、を含むことを特徴とする。
【発明の効果】
【００１３】
本発明による端末は、ターゲットフェムトセル基地局から受信した識別情報をサービング基地局に伝送し、移動性管理エンティティーまたはターゲットフェムトセル基地局の検証過程の実行後、ターゲットフェムトセル基地局にハンドオーバーすることができる。
【図面の簡単な説明】
【００１４】
【図１】本発明の実施形態によるマクロセル基地局及びフェムトセル基地局が共存す    る無線通信ネットワークの構造を示す図である。
【図２】本発明の実施形態による端末１５０の内部構造を示すブロック図である。
【図３】本発明の実施形態によって端末１５０が動作する過程を示す流れ図である。
【図４】本発明の実施形態によって端末１５０がターゲットフェムトセル基地局４５０にハンドオーバーする過程を示す流れ図である。
【図５】本発明の実施形態によって端末１５０がターゲットフェムトセル基地局４５０にハンドオーバーする過程を示す流れ図である。
【図６】本発明の実施形態によるターゲットフェムトセル基地局４５０の動作過程を示す流れ図である。
【図７】本発明の実施形態によって端末１５０がターゲットフェムトセル基地局４５０にハンドオーバーする過程を示す流れ図である。
【図８】本発明の実施形態によって端末１５０がターゲットフェムトセル基地局４５０にハンドオーバーする過程を示す流れ図である。
【図９】本発明の実施形態によるターゲットフェムトセル基地局４５０の内部構造を示すブロック図である。
【発明を実施するための形態】
【００１５】
本発明の実施形態の用語は、基本的に３ＧＰＰ  ＬＴＥ（Ｌｏｎｇ  Ｔｅｒｍ  Ｅｖｏｌｕｔｉｏｎ）システム規格によるが、必ずこれに限定して解釈する必要はない。
【００１６】
また、本発明では、大きい混同がない場合、セルまたは基地局は同一の意味として使用されることができる。これにより、マクロセルまたはマクロセル基地局は、互いに同一の意味として使用されることができ、同様に、フェムトセルまたはフェムトセル基地局も、互いに同一の意味として使用されることができる。
【００１７】
以下、添付の図面を参照して本発明の好ましい実施形態を詳しく説明する。この際、添付の図面において、同一の構成要素は、できるだけ同一の符号で示していることに留意しなければならない。また、本発明の要旨を不明瞭にする可能性がある公知機能及び構成に対する詳細な説明は省略する。
【００１８】
図１は、本発明の実施形態によるマクロセル基地局及びフェムトセル基地局が共存する無線通信ネットワークの構造を示す図である。図１の無線通信ネットワークは、マクロセル基地局１１０、フェムトセル基地局（ＨｅＮＢ）１２０、移動性管理エンティティー（Ｍｏｂｉｌｉｔｙ  Ｍａｎａｇｅｍｅｎｔ  Ｅｎｔｉｔｙ、ＭＭＥ）１３０、前記移動性管理エンティティー１３０とフェムトセル基地局とを連結するフェムトセル基地局ゲートウェイ（ＨｅＮＢ ＧＷ）１４０、端末（Ｕｓｅｒ  Ｅｑｕｉｐｍｅｎｔ、ＵＥ）１５０を含む。ここで、前記ネットワーク構成要素のうちフェムトセル基地局ゲートウェイ１４０は、具現方法によって設置されなくてもよい。
【００１９】
マクロセル基地局１１０は、マクロセルを担当する基地局である。ここで、マクロセルは、一般的なセルラー（Ｃｅｌｌｕａｒ）システムのセルを意味し、マクロセル基地局１１０は、前記マクロセルを管理、制御する基地局であるが、本発明では、便宜のために同一の意味として使用されることができる。
【００２０】
マクロセル基地局１１０は、端末１５０と無線チャネルを通じて連結され、無線資源を制御する。例えば、マクロセル基地局１１０は、マクロセル内の必要な制御情報をシステム情報として生成して放送（Ｂｒｏａｄｃａｓｔｉｎｇ）するか、またはデータや制御情報を端末１５０と送受信するために無線資源を割り当てることができる。さらに、前記マクロセル基地局１１０は、端末１５０から現在セルと隣接セルのチャネル測定結果情報を取り集めてハンドオーバーを決定し、ハンドオーバーを命令することができる。このためのマクロセル基地局１１０は、無線資源管理と関連したラジオ資源プロトコル（Ｒａｄｉｏ  Ｒｅｓｏｕｒｃｅ  Ｐｒｏｔｏｃｏｌ、ＲＲＣ）などの制御プロトコルを備える。
【００２１】
フェムトセル基地局１２０は、無線網制御機（図示せず）に連結され、移動性管理エンティティー１３０のようなコアネットワークに連結され、端末１５０に移動通信サービスを提供する。ここで、フェムトセルは、ＣＳＧセル（Ｃｌｏｓｅｄ  Ｓｕｂｓｃｒｉｂｅｒ  Ｇｒｏｕｐ  Ｃｅｌｌ）として通用されることもあるが、ＣＳＧセルというのは、当該セルにアクセスすることができるようにあらかじめ登録された特定グループ（すなわちＣＳＧ）に属する端末だけがアクセスすることができるセルを指す。このようなＣＳＧセルは、一般的に個人の自宅のように狭小な地域に設置されるホームセル、または企業または特定組職のために広い地域に設置される企業／地域ネットワークセルであることができる。本発明の実施形態によるフェムトセル基地局１２０は、自分に登録した端末にのみ移動通信サービスを提供し、自分がサービスを提供する特定グループの識別情報、すなわちＣＳＧ ＩＤをＳＩＢ（Ｓｙｓｔｅｍ Ｉｎｆｏｒｍａｔｉｏｎ Ｂｌｏｃｋ）に含ませて放送する。
【００２２】
移動性管理エンティティー（Ｍｏｂｉｌｉｔｙ Ｍａｎａｇｅｍｅｎｔ Ｅｎｔｉｔｙ、ＭＭＥ）１３０は、遊休モード（ｉｄｌｅ）の端末を管理し、ＰＤＮ（Ｐａｃｋｅｔ  Ｄａｔａ  Ｎｅｔｗｏｒｋ）ゲートウェイ及びサービングゲートウェイ（図示せず）を選定する。また、移動性管理エンティティーは、ローミング（Ｒｏａｍｉｎｇ）及び認証（Ａｕｔｈｅｎｔｉｃａｔｉｏｎ）関連機能を行う。
【００２３】
本発明の実施形態による移動性管理エンティティー１３０は、各端末が接続することができるフェムトセル基地局に対する識別情報（例えば、ＣＳＧ ＩＤ）を端末別接近許容リスト（ＵＥ  Ａｌｌｏｗｅｄ  ＣＳＧ  Ｌｉｓｔ）形態で備えることができる。また、移動性管理エンティティー１３０は、前記接近許容リストをサービング基地局１１０または端末１５０に別途のメッセージを通じて伝送することができる。
【００２４】
フェムトセル基地局ゲートウェイ（ＨｅＮＢ ＧＷ）１４０は、移動性管理エンティティー１３０とフェムトセル基地局１２０とを連結する役目を行い、具現方法によっては設置されなくてもよい。
【００２５】
端末１５０は、マクロセル基地局１１０またはフェムトセル基地局１２０を介してコアネットワークに接続することができる。この場合、端末１５０は、移動性管理エンティティー１３０などから接近許容リストを受信して保存する。また、端末１５０は、フェムトセル基地局１２０で放送されるＳＩＢを受信し、各フェムトセル基地局の識別情報を確認し、前記接近許容リストと比較し、自分が接続することができるフェムトセル基地局を識別することができる。
【００２６】
また、端末１５０は、マクロセル基地局１１０またはフェムトセル基地局１２０からフェムトセル専用セル識別子（Ｐｈｙｓｉｃａｌ  Ｃｅｌｌ  ＩＤ）を獲得し、同期チャネル（ＳＣＨ、Ｓｙｎｃｈｒｏｎｉｚａｔｉｏｎ  Ｃｈａｎｎｅｌ）を検索（Ｓｅａｒｃｈ）するか、または測定（Ｍｅａｓｕｒｅｍｅｎｔ）することができる。
【００２７】
前述したように、本発明の実施形態による無線通信ネットワークは、マクロセル基地局１１０とフェムトセル基地局１２０が混在されたセルラーシステムを仮定する。以下では、マクロセル基地局１１０をサービング基地局とする実施形態について記述するが、これは、フェムトセル基地局１２０がサービング基地局である場合をも含む。
【００２８】
また、以下で記述される本発明の実施形態では、端末１５０に移動通信サービスを提供するサービング基地局がターゲットフェムトセル基地局に対する情報をＮＲＴ（Ｎｅｉｇｈｂｏｒ  Ｒｅｌａｔｉｏｎ  Ｔａｂｌｅ）に有している場合と、ＮＲＴに有していない場合を含む。前記サービング基地局のＮＲＴには、隣接基地局のＰＣＩ（Ｐｈｙｓｉｃａｌ  Ｃｅｌｌ  ＩＤ）、ＥＣＧＩ（ＥＵＴＲＡＮ  Ｃｅｌｌ  Ｇｌｏｂａｌ  ＩＤ）、ＴＡＩ（Ｔｒａｃｋｉｎｇ  Ａｒｅａ  ＩＤ）、基地局がＣＳＧ基地局であるか否かを示すＣＳＧ指示子と、ＣＳＧ ＩＤなどに対する情報が含まれる。
【００２９】
図２は、本発明の第１実施形態〜第３実施形態に共通的に適用されることができる端末１５０の内部構造を示すブロック図である。前記端末１５０は、ＲＦ通信部２１０、保存部２２０、制御部２３０を含むことができる。この場合、保存部２２０は、接近許容リスト保存領域２２０Ａをさらに備えることができ、制御部２３０は、フェムトセル識別情報抽出部２３０Ａ、接近許容フェムトセル判断部２３０Ｂ、測定報告メッセージ生成部２３０Ｃをさらに備えることができる。
【００３０】
ＲＦ通信部２１０は、ＲＦ送受信機、デュプレクサなどを含み、ＲＦ送受信処理のような通常的な移動通信端末としての機能を行う。
【００３１】
保存部２２０は、本発明の実施形態による端末の全般的な動作に必要なプログラムとデータを保存することができる。特に、本発明の実施形態による保存部２２０は、接近許容リスト保存領域をさらに備えることができる。前記接近許容リストは、端末１５０が接続することができるフェムトセル基地局に対する識別情報を含み、接続可能なフェムトセル基地局のＣＳＧ ＩＤがリスト形態で作成される。本発明の実施形態によれば、前記接近許容リストは、移動性管理エンティティー１３０などから伝達されることができる。
【００３２】
制御部２３０は、端末１５０の全般的な動作を制御する。特に、制御部２３０は、データ処理部（図示せず）を含むことができ、データ処理部は、送信データ処理部及び受信データ処理部を含むことができる。
【００３３】
送信データ処理部は、送信される信号を符号化するためのコーダー（ｃｏｄｅｒ）と、前記符号化された信号を変調するための変調器（ｍｏｄｕｌａｔｏｒ）と、前記変調された信号をアナログ信号に変換するためのデジタル−アナログ変換器とを含むことができる。ここで、前記コーダーは、パケットデータなどを処理するデータコーダーと、音声などのオーディオ信号を処理するオーディオコーダーとを含むことができる。
【００３４】
受信データ処理部は、ＲＦ通信部から出力されるアナログ信号をデジタル信号に変換するためのアナログ−デジタル変換器と、変調された信号を復調するための復調器（ｄｅｍｏｄｕｌａｔｏｒ）と、前記復調された信号を復号化するためのデコーダー（ｄｅｃｏｄｅｒ）とを含むことができる。ここで、前記デコーダーは、パケットデータなどを処理するデータデコーダーと、音声などのオーディオ信号を処理するオーディオデコーダーとを含むことができる。
【００３５】
また、本発明の一実施形態によれば、制御部２３０は、フェムトセル識別情報抽出部２３０Ａと接近許容フェムトセル判断部２３０Ｂとをさらに備えることができる。
【００３６】
フェムトセル識別情報抽出部２３０Ａは、端末１５０のフェムトセル基地局１２０へのハンドオーバー必要時に、ターゲットフェムトセル基地局から伝送されるシステム情報を受信し、ターゲットフェムトセル基地局の識別情報を抽出する。本発明の一実施形態によれば、前記システム情報は、マスタ情報ブロック（Ｍａｓｔｅｒ  Ｉｎｆｏｒｍａｔｉｏｎ  Ｂｌｏｃｋ、ＭＩＢ）またはシステム情報ブロック（Ｓｙｓｔｅｍ  Ｉｎｆｏｒｍａｔｉｏｎ  Ｂｌｏｃｋ）であることができる。以下では、説明の便宜のために前記システム情報がＳＩＢであることを仮定して記述するが、必ずこれに限定されるものではない。また、本発明の一実施形態によれば、前記ターゲットフェムトセル基地局の識別情報は、ＥＣＧＩ（ＥＵＴＲＡＮ  Ｃｅｌｌ  Ｇｌｏｂａｌ  ＩＤ）またはＣＳＧ ＩＤであることができる。同様に、以下では、説明の便宜のために、前記識別情報がＣＳＧ ＩＤであることを仮定して記述するが、必ずこれに限定されるものではない。
【００３７】
一方、フェムトセル識別情報抽出部２３０Ａは、前記抽出されたターゲットフェムトセル基地局の識別情報を接近許容フェムトセル判断部２３０Ｂに伝達する。
【００３８】
接近許容フェムトセル判断部２３０Ｂは、フェムトセル識別情報抽出部２３０Ａからターゲットフェムトセル基地局の識別情報を受信する。また、接近許容フェムトセル判断部２３０Ｂは、前記受信したターゲットフェムトセル基地局の識別情報と、保存部２２０に保存している接近許容リストとを比較し、感知されたターゲットフェムトセル基地局が接続可能なフェムトセル基地局であるか否かを判断し、その結果を出力する。
【００３９】
測定報告メッセージ生成部２３０Ｃは、前記接近許容フェムトセル判断部の判断結果によって、感知されたターゲットフェムトセル基地局に接続可能な場合、前記ターゲットフェムトセル基地局から受信した識別情報を含む測定報告（ｍｅａｓｕｒｅｍｅｎｔ  ｒｅｐｏｒｔ）を生成する。また、前記測定報告メッセージ生成部２３０Ｃは、前記生成された測定報告メッセージをサービング基地局に伝送する。
【００４０】
図３は、図１に示された本発明の端末１５０が動作する過程を示す流れ図である。
【００４１】
まず、端末１５０は、ハンドオーバー必要時に、Ｓ３１０段階で、ハンドオーバーしようとするターゲットフェムトセル基地局を感知することができる。また、端末１５０は、Ｓ３３０段階で、前記感知されたターゲットフェムトセル基地局が放送するＳＩＢを受信し、ターゲットフェムトセル基地局の識別情報を獲得することができる。ここで、前記フェムトセル基地局の識別情報は、ＣＳＧ ＩＤであることができる。
【００４２】
本発明の一実施形態によれば、前記Ｓ３１０段階とＳ３３０段階との間に、Ｓ３２０段階で、端末１５０が自分にサービスを提供中のサービング基地局にフェムトセル基地局の感知を報告し、前記サービング基地局からフェムトセル基地局のＳＩＢ情報を獲得するような命令を受信することもできる。
【００４３】
また、端末１５０は、Ｓ３４０段階で、前記受信したターゲットフェムトセル基地局の識別情報と、端末の接近許容リストに含まれたフェムトセルリストとを比較し、感知されたターゲットフェムトセル基地局に接続することができるか否かを判断する。もし、感知されたフェムトセル基地局に接続可能であれば、端末１５０は、Ｓ３６０段階に進行し、獲得した識別情報（ＣＳＧ ＩＤ）を含む測定報告メッセージを生成し、サービング基地局に伝送する。一方、受信したフェムトセル基地局の識別情報が接近許容リストに含まれない場合には、端末１５０は、Ｓ３５０段階に進行し、獲得した識別情報をサービング基地局に伝送しない。
【００４４】
また、フェムトセル基地局の識別情報をサービング基地局に伝送した端末１５０は、Ｓ３７０段階で、前記サービング基地局からハンドオーバー命令を受信したか否かを判断する。もし、ハンドオーバー命令を受信する前であれば、前記ハンドオーバー命令受信時まで待機する。また、端末１５０は、ハンドオーバー命令受信時に、Ｓ３８０段階に進行し、感知されたフェムトセル基地局にハンドオーバーを行う。
【００４５】
図４は、本発明の実施形態によって端末１５０がターゲットフェムトセル基地局４５０にハンドオーバーする過程を示す流れ図である。より具体的に、図４の実施形態では、サービング基地局４２０がターゲットフェムトセル基地局に対する情報をＮＲＴ（Ｎｅｉｇｈｂｏｒ  Ｒｅｌａｔｉｏｎ  Ｔａｂｌｅ）に含む場合のハンドオーバー方法に関する実施形態について記述する。
【００４６】
図４の実施形態のサービング基地局４２０は、隣接フェムトセル基地局が使用するセル識別子（ＰＣＩ）、フェムトセル基地局のＣＳＧ ＩＤ、ＥＣＧＩ、ＴＡＣなどの情報をＮＲＴに保存する。また、図４の実施形態のサービング基地局４２０は、移動性管理エンティティー４３０から接近許容リストを受信して保存する。
【００４７】
まず、サービング基地局４２０は、Ｓ４０５段階で、端末１５０からターゲットフェムトセル基地局４５０のＥＣＧＩを測定報告（Ｍｅａｓｕｒｅｍｅｎｔ  Ｒｅｐｏｒｔ）を通じて受信する。前記ＥＣＧＩは、フェムトセル基地局と一対一でマッピングされ、フェムトセル基地局を唯一に（Ｕｎｉｑｕｅｌｙ）識別することができる識別子である。サービング基地局４２０は、隣接フェムトセルに対する情報をＮＲＴに保存しているので、Ｓ４１０段階で、ターゲットフェムトセルのＣＳＧ ＩＤが端末の接近許容リストに含まれているか否かを確認し、報告されたターゲットフェムトセル基地局４５０へのハンドオーバーを直ちに決定することができる。そして、サービング基地局４２０は、ソース移動性管理エンティティー４３０に端末のハンドオーバーを要請する。もし、サービング基地局４２０が接続許容リストを具備しない場合には、Ｓ４１０段階は行われず、ソース移動性管理エンティティー４３０がハンドオーバー要請受信時に、ハンドオーバーを決定することもできる。
【００４８】
ソース移動性管理エンティティー４３０は、必要時に、Ｓ４２０段階で、ターゲットフェムトセル基地局４５０と連結されたターゲット移動性管理エンティティー４４０にハンドオーバーを再要請することができる。しかし、ソース移動性管理エンティティー４３０がターゲットフェムトセル基地局４５０を担当する場合には、別途のターゲットフェムトセル基地局４５０にハンドオーバーを再要請する必要はなく、これは、以下で同一に適用される。
【００４９】
ターゲット移動性管理エンティティー４４０は、Ｓ４２５段階で、ターゲットフェムトセル基地局４５０にハンドオーバーを要請し、前記ハンドオーバー要請を受信したターゲットフェムトセル基地局４５０は、Ｓ４３０段階で、ターゲット移動性管理エンティティー４４０にハンドオーバーを行うことができるという応答メッセージを伝送する。
【００５０】
ターゲット移動性管理エンティティー４４０は、Ｓ４３５段階で、ソース移動性管理エンティティー４３０にハンドオーバーを行うことができると通知する。ソース移動性管理エンティティー４３０は、Ｓ４４０段階で、サービング基地局４２０に端末１５０のハンドオーバーを命令し、前記ハンドオーバー命令を受信したサービング基地局４２０は、Ｓ４４５段階で、端末１５０のターゲットフェムトセル基地局４５０へのハンドオーバーを命令する。
【００５１】
端末１５０は、Ｓ４５０段階で、ターゲットフェムトセル基地局４５０にハンドオーバーを行い、これによる諸動作が行われる。
【００５２】
図５は、本発明の実施形態によって端末１５０がターゲットフェムトセル基地局４５０にハンドオーバーする過程を示す流れ図である。より具体的に、図５の実施形態では、サービング基地局４２０がターゲットフェムトセル基地局に対する情報をＮＲＴ（Ｎｅｉｇｈｂｏｒ  Ｒｅｌａｔｉｏｎ  Ｔａｂｌｅ）に含まない場合のハンドオーバー方法について記述する。
【００５３】
図５で記述される実施形態のサービング基地局４２０は、隣接フェムトセル基地局が使用するセル識別子（ＰＣＩ）、フェムトセル基地局のＣＳＧ ＩＤ、ＥＣＧＩ、ＴＡＣなどの情報をＮＲＴに保存しない。そして、図５で記述される実施形態のサービング基地局４２０は、移動性管理エンティティー４３０から端末１５０が接続可能なフェムトセルに対する情報である接近許容リストを受信して保存する。
【００５４】
端末１５０は、ハンドオーバー必要時に、Ｓ５０１段階で、ターゲットフェムトセル基地局４５０が放送するＳＩＢを受信する。この時、端末１５０は、サービング基地局４２０の命令によってＳＩＢを受信することもでき、または端末１５０の判断によってＳＩＢを受信することもできる。
【００５５】
端末１５０は、受信したＳＩＢからターゲットフェムトセル基地局４５０の識別情報を獲得する。本発明の実施形態によれば、前記ターゲットフェムトセル基地局４５０の識別情報は、ＣＳＧ ＩＤであることができる。そして、前記端末１５０は、受信した識別情報と接近許容リストとを比較し、自分が接続可能なフェムトセル基地局であるか否かを判断する。もし、端末１５０が接続可能なフェムトセル基地局の場合、端末１５０は、Ｓ５０５段階で、測定報告（Ｍｅａｓｕｒｅｍｅｎｔ  Ｒｅｐｏｒｔ）を通じてターゲットフェムトセル基地局４５０の識別情報とターゲットフェムトセル基地局４５０のＥＣＧＩ、ＴＡＩなどをサービング基地局４２０に伝送する。本発明の他の実施形態によれば、端末１５０は、測定報告以外のメッセージを通じて前記識別情報をサービング基地局４２０に伝送することもできる。
【００５６】
端末１５０からターゲットフェムトセル基地局４５０の識別情報を受信したサービング基地局４２０は、接近許容リストを利用して端末１５０が報告したターゲットフェムトセル基地局４５０の識別情報が前記接近許容リストに含まれるか否かを判断する。もし含まれた場合なら、サービング基地局４２０は、既に接近許容リストを有しているので、Ｓ５１０段階で、端末１５０のハンドオーバー実行及びハンドオーバー進行を直接決定することができる。ここで、ハンドオーバー実行は、ターゲットセルへのハンドオーバー開始（ｉｎｉｔｉａｔｉｏｎ）を意味し、ハンドオーバー進行は、ターゲットセルへのアクセスコントロール（ａｃｃｅｓｓ  ｃｏｎｔｒｏｌ）を意味することができる。
【００５７】
その後、サービング基地局４２０は、Ｓ５１５段階で、コアネットワークに位置するソース移動性管理エンティティー４３０にハンドオーバーを要請する。この場合、サービング基地局４２０は、端末から受信したターゲットフェムトセル基地局４５０の識別情報をソース移動性管理エンティティー４３０に伝送する。もし、サービング基地局４２０が接続許容リストを具備しない場合には、Ｓ５１０段階は行われず、ソース移動性管理エンティティー４３０がハンドオーバー要請受信時に、ハンドオーバーを決定することもでき、これは、以下の第４実施形態で詳細に記述される。
【００５８】
一方、ソース移動性管理エンティティー４３０は、必要時に、Ｓ５２０段階で、ターゲットフェムトセル基地局４５０と連結されたターゲット移動性管理エンティティー４４０にハンドオーバーを再要請し、同時に、端末が報告したターゲットフェムトセル基地局４５０の識別情報を伝送する。ターゲット移動性管理エンティティー４３０は、Ｓ５２５段階で、ターゲットフェムトセル基地局４５０にハンドオーバーを要請すると同時に、ターゲットフェムトセル基地局の識別情報を伝送する。
【００５９】
この場合、端末１５０がサービング基地局に報告したターゲットフェムトセル基地局４５０の識別情報がハンドオーバーしようとするターゲットフェムトセル基地局に関するものであるかを検証される必要がある。これは、ターゲットフェムトセル基地局４５０の識別番号は、随時に変更されることができ、且つ、端末１５０がサービング基地局に報告したターゲットフェムトセル基地局４５０の識別情報を完全に信頼することはできないからである。このために、ターゲットフェムトセル基地局４５０は、Ｓ５３０段階で、前記Ｓ５２５段階で受信した識別情報（すなわち、端末がサービング基地局に報告したＣＳＧ ＩＤ）と自分の識別情報（すなわち、自分のＣＳＧ ＩＤ）とを比較し、同一であるか否かを判断する。
【００６０】
もし、前記２つの識別情報が同一であれば、ターゲットフェムトセル基地局４５０は、ハンドオーバーを許容し、Ｓ５３５段階で、これに対する応答メッセージをターゲット移動性管理エンティティー４４０に伝送する。一方、前記２つの識別情報が一致しなければ、ターゲットフェムトセル基地局４５０は、ハンドオーバー失敗メッセージを伝送し、端末１５０のハンドオーバーが拒否されたことを通知する。
【００６１】
ターゲットフェムトセル基地局４５０からハンドオーバー応答メッセージを受信したターゲット移動性管理エンティティー４４０は、Ｓ５４０段階で、ソース移動性管理エンティティー４３０にハンドオーバーを行うことができると通知する。ソース移動性管理エンティティー４３０は、Ｓ５４５段階で、サービング基地局４２０に端末１５０のハンドオーバーを命令し、これにより、サービング基地局４２０は、Ｓ５５０段階で、端末１５０にハンドオーバーを命令する。
【００６２】
その後、端末１５０は、Ｓ５５５段階で、ターゲットフェムトセル基地局４５０にハンドオーバーを行い、これによる諸動作が行われる。その他、ネットワーク内で端末１５０のハンドオーバーの移動性制御と関連して必要な情報は、測定報告を通じてサービング基地局４２０に伝送されることができる。
【００６３】
図６は、本発明の図５で記述される実施形態によるターゲットフェムトセル基地局４５０の動作過程を示す流れ図である。
【００６４】
まず、ターゲットフェムトセル基地局４５０は、Ｓ６１０段階で、サービング移動性管理エンティティー４３０またはターゲット移動性管理エンティティー４４０からターゲットフェムトセル基地局の識別情報が含まれたハンドオーバー要請メッセージを受信する。ターゲットフェムトセル基地局４５０は、Ｓ６２０段階で、前記受信した識別情報が自分の識別情報と同一であるか否かを判断する。すなわち、ターゲットフェムトセル基地局４５０は、端末１５０がサービング基地局に報告したターゲットフェムトセル基地局のＣＳＧ ＩＤと端末がハンドオーバーしようとするセルのＣＳＧ ＩＤとが同一であるかを比較する。
【００６５】
もし同一であれば、端末１５０は、ハンドオーバーしようとするターゲットフェムトセル基地局４５０を感知したものなので、Ｓ６３０段階に進行し、ハンドオーバーを受諾するための応答メッセージを移動性管理エンティティーに伝送する。
【００６６】
一方、同一でなければ、端末１５０は、ハンドオーバーしようとするターゲットフェムトセル基地局４５０の識別情報をサービング基地局に誤って報告したものなので、Ｓ６４０段階に進行し、ハンドオーバーを拒絶するためのハンドオーバー失敗メッセージを移動性管理エンティティーに伝送する。
【００６７】
図７は、本発明の第３実施形態によって端末１５０がターゲットフェムトセル基地局４５０にハンドオーバーする過程を示す流れ図である。より具体的に、図７で記述される実施形態は、サービング基地局４２０がターゲットフェムトセル基地局に対する情報をＮＲＴ（Ｎｅｉｇｈｂｏｒ  Ｒｌａｔｉｏｎ  Ｔａｂｌｅ）に含まず、ターゲット移動性管理エンティティー４４０がターゲットフェムトセル基地局の識別情報を正確に知っている場合のハンドオーバー方法について記述する。
【００６８】
図７で示される実施形態のサービング基地局４２０は、隣接フェムトセル基地局が使用するセル識別子（ＰＣＩ）、フェムトセル基地局のＣＳＧ ＩＤ、ＥＣＧＩ、ＴＡＣなどの情報をＮＲＴに保存しない。また、図７で示される実施形態のサービング基地局４２０は、端末１５０が接続可能なフェムトセルに関する情報である接近許容リストを受信して保存する。また、ターゲット移動性管理エンティティー４４０は、ターゲットフェムトセル基地局４５０の各セルに対する識別情報、すなわちＣＳＧ ＩＤを認知している。
【００６９】
端末１５０は、ハンドオーバー必要時に、Ｓ７０５段階で、ターゲットフェムトセル基地局４５０が放送するＳＩＢを受信する。この時、端末１５０は、サービング基地局４２０の命令によってＳＩＢを受信することもでき、または端末１５０の判断によってＳＩＢを受信することもできる。
【００７０】
端末１５０は、受信したＳＩＢからターゲットフェムトセル基地局４５０の識別情報を獲得する。本発明の実施形態によれば、前記ターゲットフェムトセル基地局４５０の識別情報は、ＣＳＧ ＩＤであることができる。また、前記端末１５０は、受信した識別情報を利用して自分が接続可能なフェムトセル基地局であるか否かを判断する。もし、端末１５０が接続可能なフェムトセル基地局の場合、端末１５０は、Ｓ７１０段階で、測定報告（Ｍｅａｓｕｒｅｍｅｎｔ  Ｒｅｐｏｒｔ）を通じてターゲットフェムトセル基地局４５０の識別情報をサービング基地局４２０に伝送する。本発明の他の実施形態によれば、端末１５０は、測定報告以外のメッセージを通じて前記識別情報をサービング基地局４２０に伝送することもできる。
【００７１】
端末１５０からターゲットフェムトセル基地局４５０の識別情報を受信したサービング基地局４２０は、接近許容リストを利用して端末１５０が報告したターゲットフェムトセル基地局４５０の識別情報が前記接近許容リストに含まれたか否かを判断する。もし含まれた場合なら、サービング基地局４２０は、Ｓ７１５段階で、端末１５０のハンドオーバーを決定し、Ｓ７２０段階で、ソース移動性管理エンティティー４３０にハンドオーバーを要請する。この場合、サービング基地局４２０は、端末から受信したターゲットフェムトセル基地局４５０の識別情報とターゲットフェムトセル基地局４５０のＥＣＧＩ、ＴＡＩなどをソース移動性管理エンティティー４３０に伝送する。もし、サービング基地局４２０が接続許容リストを具備しない場合には、Ｓ７１５段階は、行われず、ソース移動性管理エンティティー４３０がハンドオーバー要請受信時に、ハンドオーバーを決定することもできる。
【００７２】
ソース移動性管理エンティティー４３０は、必要時に、Ｓ７２５段階で、ターゲットフェムトセル基地局４５０と連結されたターゲット移動性管理エンティティー４４０にハンドオーバーを再要請すると同時に、端末が報告したターゲットフェムトセル基地局４５０の識別情報を送る。
【００７３】
図７で示される実施形態では、フェムトセルが単一セルを有する場合なので、ターゲット移動性管理エンティティー４４０は、すべてのフェムトセル基地局に対する識別情報を認知している。したがって、ターゲット移動性管理エンティティーは、Ｓ７３０段階で、端末１５０がハンドオーバーしようとするターゲットフェムトセル基地局の識別情報と端末１５０が伝送した実際ターゲットフェムトセル基地局の識別情報が同一であるか否かを判断することができる。
【００７４】
もし、前記２つの識別情報が同一であれば、ハンドオーバー手続を続いて行う。一方、前記２つの識別情報が同一でなければ、ハンドオーバー失敗メッセージを伝送し、端末１５０のハンドオーバーが拒絶されたことを通知する。
【００７５】
前記２つの識別情報が同一であれば、ターゲット移動性管理エンティティー４４０は、Ｓ７３５段階で、ターゲットフェムトセル基地局４５０にハンドオーバーを要請する。ターゲットフェムトセル基地局４５０は、Ｓ７４０段階で、端末１５０のハンドオーバーを受諾するというハンドオーバー応答メッセージをターゲット移動性管理エンティティー４４０に伝送する。
【００７６】
ターゲットフェムトセル基地局４５０からハンドオーバー応答メッセージを受信したターゲット移動性管理エンティティー４４０は、Ｓ７４５段階で、ソース移動性管理エンティティー４３０にハンドオーバーを行うことができると通知する。ソース移動性管理エンティティー４３０は、Ｓ５７５０段階で、サービング基地局４２０に端末１５０のハンドオーバーを命令し、これにより、サービング基地局４２０は、Ｓ７５５段階で、端末１５０にハンドオーバーを命令する。
【００７７】
その後、端末１５０は、Ｓ５７６０段階で、ターゲットフェムトセル基地局４５０にハンドオーバーを行い、これによる諸動作が行われる。その他、ネットワーク内で端末１５０のハンドオーバーの移動性制御と関連して必要な情報は、測定報告を通じてサービング基地局４２０に伝送されることができる。
【００７８】
図８は、本発明の第４実施形態によって端末１５０がターゲットフェムトセル基地局４５０にハンドオーバーする過程を示す流れ図である。より具体的には、図８では、サービング基地局４２０がターゲットフェムトセル基地局に対する情報をＮＲＴ（Ｎｅｉｇｈｂｏｒ  Ｒｅｌａｔｉｏｎ  Ｔａｂｌｅ）に含まない場合のハンドオーバー方法について記述する。
【００７９】
第４実施形態のサービング基地局４２０は、隣接フェムトセル基地局が使用するセル識別子（ＰＣＩ）、フェムトセル基地局のＣＳＧ ＩＤ、ＥＣＧＩ、ＴＡＣなどの情報をＮＲＴに保存しない。また、第４実施形態のサービング基地局４２０は、端末１５０が接続可能なフェムトセルに対する情報である接近許容リストを保存していないと仮定する。
【００８０】
端末１５０は、ハンドオーバー必要時に、Ｓ８０５段階で、ターゲットフェムトセル基地局４５０が放送するＳＩＢを受信する。この際、端末１５０は、サービング基地局４２０の命令によってＳＩＢを受信することもでき、または端末１５０の判断によってＳＩＢを受信することもできる。
【００８１】
端末１５０は、受信したＳＩＢからターゲットフェムトセル基地局４５０の識別情報を獲得する。本発明の実施形態によれば、前記ターゲットフェムトセル基地局４５０の識別情報は、ＣＳＧ ＩＤであることができる。そして、前記端末１５０は、受信した識別情報と接近許容リストを比較し、自分が接続可能なフェムトセル基地局であるか否かを判断する。もし、端末１５０が接続可能なフェムトセル基地局の場合、端末１５０は、Ｓ８１０段階で、測定報告（Ｍｅａｓｕｒｅｍｅｎｔ  Ｒｅｐｏｒｔ）を通じてターゲットフェムトセル基地局４５０の識別情報とターゲットフェムトセル基地局４５０のＥＣＧＩ、ＴＡＩなどをサービング基地局４２０に伝送する。本発明の他の実施形態によれば、端末１５０は、測定報告以外のメッセージを通じて前記識別情報をサービング基地局４２０に伝送することもできる。
【００８２】
端末１５０からターゲットフェムトセル基地局４５０の識別情報を受信したサービング基地局４２０は、Ｓ８１５段階で、端末１５０のハンドオーバー実行可否を決定することができ、Ｓ８２０段階で、ソース移動性管理エンティティー４３０にハンドオーバー進行可否の決定を要請する。第４実施形態において、サービング基地局４２０は、接近許容リストを具備しないので、端末１５０のハンドオーバー実行（すなわち、ハンドオーバー開始）だけを決定することができ、ハンドオーバー進行可否に対する決定権は、コアネットワークに位置する移動性管理エンティティーに任せるようになる。
【００８３】
この場合、サービング基地局４２０は、ターゲットフェムトセル基地局４５０の識別情報をソース移動性管理エンティティー４３０に伝送する。Ｓ８２５段階で、ソース移動性管理エンティティー４３０は、ターゲットフェムトセルのＣＳＧ ＩＤが端末の接近許容リストに含まれているか否かを確認し、ハンドオーバーの進行可否を判断する。もし、ターゲットフェムトセルのＣＳＧ ＩＤが端末の接近許容リストに含まれていなければ、ハンドオーバーを実行しないこともできる。
【００８４】
一方、ソース移動性管理エンティティー４３０は、必要時に、Ｓ８３０段階で、ターゲットフェムトセル基地局４５０と連結されたターゲット移動性管理エンティティー４４０にハンドオーバーを再要請すると同時に、端末１５０が報告したターゲットフェムトセル基地局４５０の識別情報を伝送する。ターゲット移動性管理エンティティー４３０は、Ｓ８３５段階で、ターゲットフェムトセル基地局４５０にハンドオーバーを要請すると同時に、ターゲットフェムトセル基地局の識別情報を伝送する。
【００８５】
この場合、端末１５０がサービング基地局に報告したターゲットフェムトセル基地局４５０の識別情報がハンドオーバーしようとするターゲットフェムトセル基地局に関するものであるかを検証される必要がある。これは、ターゲットフェムトセル基地局４５０の識別番号は、随時に変更されることができ、且つ、端末１５０がサービング基地局に報告したターゲットフェムトセル基地局４５０の識別情報を完全に信頼することはできないからである。
【００８６】
このために、ターゲットフェムトセル基地局４５０は、８４０段階で、前記Ｓ８３５段階で受信した識別情報（すなわち、端末がサービング基地局に報告したＣＳＧ ＩＤ）と自分の識別情報（すなわち、自分のＣＳＧ ＩＤ）とを比較し、同一であるか否かを判断する。もし、前記２つの識別情報が同一であれば、ターゲットフェムトセル基地局４５０は、ハンドオーバーを許容し、Ｓ８４５段階で、これに対する応答メッセージをターゲット移動性管理エンティティー４４０に伝送する。一方、前記２つの識別情報が一致しなければ、ターゲットフェムトセル基地局４５０は、ハンドオーバー失敗メッセージを伝送し、端末１５０のハンドオーバーが拒否されたことを通知する。
【００８７】
ターゲットフェムトセル基地局４５０からハンドオーバー応答メッセージを受信したターゲット移動性管理エンティティー４４０は、Ｓ８５０段階で、ソース移動性管理エンティティー４３０にハンドオーバーを行うことができると通知する。ソース移動性管理エンティティー４３０は、Ｓ８５５段階で、サービング基地局４２０に端末１５０のハンドオーバーを命令し、これにより、サービング基地局４２０は、Ｓ８６０段階で、端末１５０にハンドオーバーを命令する。
【００８８】
その後、端末１５０は、Ｓ８６５段階で、ターゲットフェムトセル基地局４５０にハンドオーバーを行い、これによる諸動作が行われる。その他、ネットワーク内で端末１５０のハンドオーバーの移動性制御と関連して必要な情報は、測定報告を通じてサービング基地局４２０に伝送されることができる。
【００８９】
図９は、本発明の第２実施形態及び第４実施形態によるターゲットフェムトセル基地局４５０の内部構造を示すブロック図である。図９で示されたように、本発明のターゲットフェムトセル基地局４５０は、ＲＦ通信部９１０、保存部９２０、制御部９３０を含むことができる。この場合、保存部９２０は、セル情報保存領域９２０Ａをさらに備え、制御部９３０は、セル識別子検証部９３０Ａをさらに備えることができる。
【００９０】
ＲＦ通信部９１０は、ＲＦ送受信機、デュプレクサなどを含み、ＲＦ送受信処理のような機能を行う。本発明の実施形態によれば、前記ＲＦ通信部９１０は、ソース移動性管理エンティティー４３０またはターゲット移動性管理エンティティー４４０から伝送されるハンドオーバー要請を受信することができる。ここで、前記ハンドオーバー要請は、端末１５０がハンドオーバーしようとするターゲットフェムトセル基地局４５０に対する識別情報を含むことができる。
【００９１】
保存部９２０は、本発明の実施形態によるターゲットフェムトセル基地局４５０の全般的な動作に必要なプログラム及びデータを保存することができる。特に、本発明の保存部９２０は、セル情報保存領域９２０Ａをさらに備えることができる。
【００９２】
セル情報保存領域９２０Ａは、ターゲットフェムトセル基地局４５０に対するセル情報を保存し、これは、フェムトセル自分のＥＣＧＩ（ＥＵＴＲＡＮ  Ｃｅｌｌ  Ｇｌｏｂａｌ  ＩＤ）、ＣＳＧ ＩＤ、ＴＡＩなどになることができる。
【００９３】
制御部９３０は、ターゲットフェムトセル基地局４５０の全般的な動作を制御する。制御部９３０は、ソース移動性管理エンティティー４３０またはターゲット移動性管理エンティティー４４０から伝送されるハンドオーバー要請がＲＦ通信部９１０を通じて受信されたことを感知する。制御部９３０は、前記ハンドオーバー要請に含まれたターゲットフェムトセル基地局４５０に対する識別情報を抽出し、これをセル識別子検証部９３０Ａに伝達する。
【００９４】
セル識別子検証部９３０Ａは、端末１５０がサービング基地局４２０に報告したターゲットフェムトセル基地局の識別情報（ＣＳＧ ＩＤ）と自分の識別情報（すなわち、自分のＣＳＧ ＩＤ）とを比較し、互いに同一であるか否かを判断する。もし、前記２つの識別情報が同一であれば、セル識別子検証部９３０Ａは、ハンドオーバーを許容し、これに対する応答メッセージをターゲット移動性管理エンティティー４４０またはソース移動性管理エンティティー４３０に伝送するように制御することができる。
【００９５】
一方、前記２つの識別情報が一致しなければ、セル識別子検証部９３０Ａは、ハンドオーバー失敗メッセージを伝送し、端末１５０のハンドオーバーが拒否されたことを通知する。
【符号の説明】
【００９６】
１１０  マイクロセル基地局
１２０  フェムトセル基地局
１３０  移動性管理エンティティー
１４０  フェムトセル基地局ゲートウェイ
１５０  端末
【図１】
2014209776.tif 000003
【図２】
2014209776.tif 000004
【図３】
2014209776.tif 000005
【図４】
2014209776.tif 000006
【図５】
2014209776.tif 000007
【図６】
2014209776.tif 000008
【図７】
2014209776.tif 000009
【図８】
2014209776.tif 000010
【図９】
2014209776.tif 000011
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
ホームｅＮｏｄｅＢ（ＨｅＮＢ）を含む無線通信システムで端末のハンドオーバー方法において、 
ターゲットＨｅＮＢのセル識別子を含む第１測定報告をソースｅＮＢに伝送する段階と、
前記ソースｅＮＢからシステム情報獲得を行うための制御メッセージを受信する段階と、
前記ターゲットＨｅＮＢからトラッキングエリアＩＤと閉鎖加入者グループ（ＣＳＧ）ＩＤとを含むシステム情報を受信する段階と、
前記ターゲットＨｅＮＢのトラッキングエリアＩＤとＣＳＧ ＩＤとを含む第２測定報告を生成して報告する段階と、 
前記ソースｅＮＢからハンドオーバー命令メッセージを受信する段階とを含むことを特徴とする端末のハンドオーバー方法。
【請求項２】
前記第２測定報告に含まれたＣＳＧ ＩＤは、 
前記ターゲットＨｅＮＢから放送されるＣＳＧ ＩＤとマッチングされて検証されることを特徴とする請求項１に記載の端末のハンドオーバー方法。
【請求項３】
前記第２測定報告に含まれたＣＳＧ ＩＤは、 
移動性管理エンティティー（ＭＭＥ）でアクセスコントロールのために用いられることを特徴とする請求項２に記載の端末のハンドオーバー方法。
【請求項４】
前記第２測定報告に含まれたＣＳＧ ＩＤは、 
前記ターゲットＨｅＮＢにより、前記第２測定報告に含まれたＣＳＧ ＩＤが前記ターゲットＨｅＮＢから放送されるＣＳＧ ＩＤとマッチングするかを検証するために、前記ターゲットＨｅＮＢから放送されるＣＳＧ ＩＤと比較されることを特徴とする請求項１に記載の端末のハンドオーバー方法。 
【請求項５】
前記ターゲットＨｅＮＢに伝送されたＣＳＧ ＩＤが検証された場合、前記ハンドオーバー命令メッセージが前記ソースｅＮＢから受信されることを特徴とする請求項１に記載の端末のハンドオーバー方法。 
【請求項６】
前記ハンドオーバー命令メッセージを受信することに対応し、ハンドオーバー手続きを開始する段階をさらに含むことを特徴とする請求項１に記載の端末のハンドオーバー方法。
【請求項７】
ホームｅＮｏｄｅＢ（ＨｅＮＢ）を含む無線通信システムでソースｅＮＢのハンドオーバー方法において、 
ターゲットＨｅＮＢのセル識別子を含む第１測定報告を端末から受信する段階と、 
システム情報獲得を行うための制御メッセージを前記端末に伝送する段階と、
前記ターゲットＨｅＮＢのトラッキングエリアＩＤとＣＳＧ ＩＤとを含む第２測定報告を受信する段階と、
ハンドオーバー命令メッセージを前記端末に伝送する段階とを含むことを特徴とするソースｅＮＢのハンドオーバー方法。
【請求項８】
前記第２測定報告に含まれたＣＳＧ ＩＤは、 
前記ターゲットＨｅＮＢから放送されるＣＳＧ ＩＤとマッチングされて検証されることを特徴とする請求項７に記載のソースｅＮＢのハンドオーバー方法。 
【請求項９】
前記第２測定報告に含まれたＣＳＧ ＩＤは、 
移動性管理エンティティー（ＭＭＥ）でアクセスコントロールのために用いられることを特徴とする請求項８に記載のソースｅＮＢのハンドオーバー方法。
【請求項１０】
前記第２測定報告に含まれたＣＳＧ ＩＤは、 
前記ターゲットＨｅＮＢにより、前記第２測定報告に含まれたＣＳＧ ＩＤが前記ターゲットＨｅＮＢから放送されるＣＳＧ ＩＤとマッチングするかを検証するために、前記ターゲットＨｅＮＢから放送されるＣＳＧ ＩＤと比較されることを特徴とする請求項７に記載のソースｅＮＢのハンドオーバー方法。
【請求項１１】
前記第２測定報告に含まれたＣＳＧ ＩＤが検証されると、前記ハンドオーバー命令メッセージが前記端末に伝送されることを特徴とする請求項７に記載のソースｅＮＢのハンドオーバー方法。 
【請求項１２】
前記ハンドオーバー命令メッセージは、 
前記端末がハンドオーバー手続きを開始するためのものであることを特徴とする請求項７に記載のソースｅＮＢのハンドオーバー方法。
【請求項１３】
ホームｅＮｏｄｅＢ（ＨｅＮＢ）を含む無線通信システムで移動性管理エンティティー（ＭＭＥ）のハンドオーバーサポート方法において、 
端末に対するターゲットＨｅＮＢのＣＳＧ ＩＤとターゲットセル識別子とを含むハンドオーバー要求（ｒｅｑｕｉｒｅｄ）メッセージをソースｅＮＢから受信する段階と、 
前記ハンドオーバー要求メッセージに含まれたＣＳＧ ＩＤと前記端末に対するＣＳＧ加入データに基づいて、前記端末の前記ＨｅＮＢに対するアクセスコントロールを行う段階と、
前記端末に対するアクセスコントロールが失敗した場合、前記ソースｅＮＢへのハンドオーバーを中止する段階と、 
前記端末に対するアクセスコントロールが成功した場合、前記ターゲットＨｅＮＢのＣＳＧ ＩＤを含むハンドオーバー要請（ｒｅｑｕｅｓｔ）メッセージを前記ターゲットＨｅＮＢに伝送する段階と、
前記ターゲットＨｅＮＢからハンドオーバー要請確認メッセージを受信する場合、前記ソースｅＮＢにハンドオーバー命令メッセージを伝送する段階とを含み、 
前記ハンドオーバー要求メッセージに含まれたＣＳＧ ＩＤは、 
前記ターゲットＨｅＮＢにより、前記ハンドオーバー要求メッセージに含まれたＣＳＧ ＩＤが前記ターゲットＨｅＮＢから放送されるＣＳＧ ＩＤとマッチングするかを検証するために、前記ターゲットＨｅＮＢから放送されるＣＳＧ ＩＤと比較されることを特徴とするＭＭＥのハンドオーバーサポート方法。
【請求項１４】
前記ハンドオーバー要求メッセージに含まれたＣＳＧ ＩＤは、 
前記ターゲットＨｅＮＢから放送されるＣＳＧ ＩＤとマッチングされて検証されることを特徴とする請求項１３に記載のＭＭＥのハンドオーバーサポート方法。
【請求項１５】
ホームｅＮｏｄｅＢ（ＨｅＮＢ）を含む無線通信システムでハンドオーバーを行う端末において、
信号を送受信する送受信部と、
ターゲットＨｅＮＢのセル識別子を含む第１測定報告をソースｅＮＢに伝送し、前記ソースｅＮＢからシステム情報獲得を行うための制御メッセージを受信し、前記ターゲットＨｅＮＢからトラッキングエリアＩＤと閉鎖加入者グループ（ＣＳＧ） ＩＤとを含むシステム情報を受信し、前記ターゲットＨｅＮＢのトラッキングエリアＩＤとＣＳＧ ＩＤとを含む第２測定報告を生成して報告し、前記ソースｅＮＢからハンドオーバー命令メッセージを受信するように制御する制御部とを含むことを特徴とする端末。 
【請求項１６】
前記第２測定報告に含まれたＣＳＧ ＩＤは、 
前記ターゲットＨｅＮＢから放送されるＣＳＧ ＩＤとマッチングされて検証されることを特徴とする請求項１５に記載の端末。
【請求項１７】
前記第２測定報告に含まれたＣＳＧ ＩＤは、 
移動性管理エンティティー（ＭＭＥ）でアクセスコントロールのために用いられることを特徴とする請求項１６に記載の端末。
【請求項１８】
前記第２測定報告に含まれたＣＳＧ ＩＤは、 
前記ターゲットＨｅＮＢにより、前記第２測定報告に含まれたＣＳＧ ＩＤが前記ターゲットＨｅＮＢから放送されるＣＳＧ ＩＤとマッチングするかを検証するために、前記ターゲットＨｅＮＢから放送されるＣＳＧ ＩＤと比較されることを特徴とする請求項１５に記載の端末。
【請求項１９】
前記ターゲットＨｅＮＢに伝送されたＣＳＧ ＩＤが検証された場合、前記ハンドオーバー命令メッセージが前記ソースｅＮＢから受信されることを特徴とする請求項１５に記載の端末。 
【請求項２０】
前記制御部は、 
前記ハンドオーバー命令メッセージを受信することに対応し、ハンドオーバー手続きを開始するように制御することを特徴とする請求項１５に記載の端末。
【請求項２１】
ホームｅＮｏｄｅＢ（ＨｅＮＢ）を含む無線通信システムで端末のハンドオーバーをサポートするソースｅＮＢにおいて、 
信号を送受信する送受信部と、
ターゲットＨｅＮＢのセル識別子を含む第１測定報告を端末から受信し、システム情報獲得を行うための制御メッセージを前記端末に伝送し、前記ターゲットＨｅＮＢのトラッキングエリアＩＤとＣＳＧ ＩＤとを含む第２測定報告を受信し、ハンドオーバー命令メッセージを前記端末に伝送するように制御する制御部とを含むことを特徴とするソースｅＮＢ。
【請求項２２】
前記第２測定報告に含まれたＣＳＧ ＩＤは、 
前記ターゲットＨｅＮＢから放送されるＣＳＧ ＩＤとマッチングされて検証されることを特徴とする請求項２１に記載のソースｅＮＢ。
【請求項２３】
前記第２測定報告に含まれたＣＳＧ ＩＤは、 
移動性管理エンティティー（ＭＭＥ）でアクセスコントロールのために用いられることを特徴とする請求項２２に記載のソースｅＮＢ。
【請求項２４】
前記第２測定報告に含まれたＣＳＧ ＩＤは、 
前記ターゲットＨｅＮＢにより、前記第２測定報告に含まれたＣＳＧ ＩＤが前記ターゲットＨｅＮＢから放送されるＣＳＧ ＩＤとマッチングするかを検証するために、前記ターゲットＨｅＮＢから放送されるＣＳＧ ＩＤと比較されることを特徴とする請求項２１に記載のソースｅＮＢ。 
【請求項２５】
前記第２測定報告に含まれたＣＳＧ ＩＤが検証されると、前記ハンドオーバー命令メッセージが前記端末に伝送されることを特徴とする請求項２１に記載のソースｅＮＢ。 
【請求項２６】
前記ハンドオーバー命令メッセージは、 
前記端末がハンドオーバー手続きを開始するためのものであることを特徴とする請求項２１に記載のソースｅＮＢ。
【請求項２７】
ホームｅＮｏｄｅＢ（ＨｅＮＢ）を含む無線通信システムでハンドオーバーをサポートする移動性管理エンティティー（ＭＭＥ）において、 
信号を送受信する送受信部と、
端末に対するターゲットＨｅＮＢのＣＳＧ ＩＤとターゲットセル識別子とを含むハンドオーバー要求メッセージをソースｅＮＢから受信し、前記ハンドオーバー要求メッセージに含まれたＣＳＧ ＩＤと前記端末に対するＣＳＧ加入データに基づいて、前記端末の前記ＨｅＮＢに対するアクセスコントロールを行い、前記端末に対するアクセスコントロールが失敗した場合、前記ソースｅＮＢへのハンドオーバーを中止し、前記端末に対するアクセスコントロールが成功した場合、前記ターゲットＨｅＮＢのＣＳＧ ＩＤを含むハンドオーバー要請メッセージを前記ターゲットＨｅＮＢに伝送し、前記ターゲットＨｅＮＢからハンドオーバー要請確認メッセージを受信する場合、前記ソースｅＮＢにハンドオーバー命令メッセージを伝送するように制御する制御部とを含み、 
前記ハンドオーバー要求メッセージに含まれたＣＳＧ ＩＤは、 
前記ターゲットＨｅＮＢにより、前記ハンドオーバー要求メッセージに含まれたＣＳＧ ＩＤが前記ターゲットＨｅＮＢから放送されるＣＳＧ ＩＤとマッチングするかを検証するために、前記ターゲットＨｅＮＢから放送されるＣＳＧ ＩＤと比較されることを特徴とするＭＭＥ。
【請求項２８】
前記ハンドオーバー要求メッセージに含まれたＣＳＧ ＩＤは、 
前記ターゲットＨｅＮＢから放送されるＣＳＧ ＩＤとマッチングされて検証されることを特徴とする請求項２７に記載のＭＭＥ。